(57)【要約】【課題】物品の説明を記載した書面を別途準備することなく、物品の説明を表示可能な容器を提供する。【解決手段】本発明に係る容器は、内面を構成する第１面、及び外面を構成する第２面を有し、内部に物品を収容可能な筒状の本体部と、前記本体部の外周面に連結され、軸方向に延びる板状のヘッダー部と、前記本体部の軸方向の両端部を、それぞれ閉じる一対の閉鎖部と、を備え、前記本体部は、前記ヘッダー部において当該本体部に取り付けられた基端に沿って軸方向に破断可能な第１分離用破断線と、前記第１分離用破断線が破断された後、前記本体部が展開するように、前記本体部と前記閉鎖部の少なくとも一部とを分離するために破断可能な第２分離用破断線と、を備え、前記閉鎖部は、前記第１及び第２分離用破断線が破断された後、前記本体部を展開して、前記第１面を外面に、前記第２面を内面にするように、前記本体部を筒状に形成した後、当該筒状の形状を保持するための保持手段を有している。【選択図】図１
2018188204.tif 000002
【特許請求の範囲】
【請求項１】
内面を構成する第１面、及び外面を構成する第２面を有し、内部に物品を収容可能な筒状の本体部と、
前記本体部の外周面に連結され、軸方向に延びる板状のヘッダー部と、
前記本体部の軸方向の両端部を、それぞれ閉じる一対の閉鎖部と、
を備え、
前記本体部は、
前記ヘッダー部において当該本体部に取り付けられた基端に沿って軸方向に破断可能な第１分離用破断線と、
前記第１分離用破断線が破断された後、前記本体部が展開するように、前記本体部と前記閉鎖部の少なくとも一部とを分離するために破断可能な第２分離用破断線と、
を備え、
前記閉鎖部は、
前記第１及び第２分離用破断線が破断された後、前記本体部を展開して、前記第１面を外面に、前記第２面を内面にするように、前記本体部を筒状に形成した後、当該筒状の形状を保持するための保持手段を有している、容器。
【請求項２】
前記ヘッダー部の基端から延びる把持部を有し、
前記把持部は、前記本体部の一部によって構成され、
前記第１分離用破断線は、前記把持部を前記本体部から切り離すように構成されている、請求項１に記載の容器。
【請求項３】
前記本体部は、長方形状に形成された、第１，第２，第３，及び第４板材によって角筒状に形成され、
前記第１，第２，第３，及び第４板材は、この順で長手方向の辺同士が連結されるように連なるように構成され、
前記ヘッダー部は、前記第１板材または前記第４板材の長手方向の辺の少なくとも一方に連結される、請求項１または２に記載の容器。
【請求項４】
前記閉鎖部は、
前記第１板材の軸方向の両端に折り曲げ可能に取り付けられた一対の第１フラップと、
前記第２板材の軸方向の両端に折り曲げ可能に取り付けられた一対の第２フラップと、
前記第３板材の軸方向の両端に折り曲げ可能に取り付けられた一対の第３フラップと、
前記第４板材の軸方向の両端に折り曲げ可能に取り付けられた一対の第４フラップと、
を備え、
前記第１から第４フラップの少なくとも２つのフラップを互いに固定することで、前記本体部の軸方向の両端の開口を塞ぐように構成されている、請求項３に記載の容器。
【請求項５】
前記第１フラップと前記第３フラップとを互いに重ねるように固定することで、前記本体部の軸方向の両端の開口を塞ぐように構成されている、請求項４に記載の容器。
【請求項６】
前記第１板材と一対の第１フラップとを連結する折り目に、前記第２分離用破断線が設けられている、請求項５に記載の容器。
【請求項７】
前記第２フラップと前記第４フラップとが、連結可能に構成され、
前記第２フラップ及び前記第４フラップによって、前記保持手段が構成される、請求項５または６に記載の容器。
【請求項８】
前記ヘッダー部は、
前記第１板材の長手方向の辺に連結された第１ヘッダー板材と、
前記第４板材の長手方向の辺に連結された第２ヘッダー板材と、
を備え、
前記第１及び第２ヘッダー板材を重ねるように連結することで、前記本体部は、前記第１面を内面とする角筒状に形成される、請求項３から７のいずれかに記載の容器。
【発明の詳細な説明】
【技術分野】
【０００１】
本発明は、容器に関する。
【背景技術】
【０００２】
従来より、薬剤などの物品が収容される種々の容器が提案されている(例えば、特許文献１)。
【先行技術文献】
【特許文献】
【０００３】
【特許文献１】特開２０１２−１２０２６号公報
【発明の概要】
【発明が解決しようとする課題】
【０００４】
ところで、上記のような容器には、物品の説明を記載した書面が同梱されることがあるが、このような書面を作成し、容器に同梱するのにはコストがかかり、また製造工程が煩雑になるという問題がある。これに対して、例えば、物品の説明を容器に記載することも考えられるが、容器の表面の面積は限られており、このような物品の説明を十分に記載することはできない。本発明は、この問題を解決するためになされたものであり、物品の説明を記載した書面を別途準備することなく、物品の説明を表示可能な容器を提供することを目的とする。
【課題を解決するための手段】
【０００５】
本発明に係る容器は、内面を構成する第１面、及び外面を構成する第２面を有し、内部に物品を収容可能な筒状の本体部と、前記本体部の外周面に連結され、軸方向に延びる板状のヘッダー部と、前記本体部の軸方向の両端部を、それぞれ閉じる一対の閉鎖部と、を備え、前記本体部は、前記ヘッダー部において当該本体部に取り付けられた基端に沿って軸方向に破断可能な第１分離用破断線と、前記第１分離用破断線が破断された後、前記本体部が展開するように、前記本体部と前記閉鎖部の少なくとも一部とを分離するために破断可能な第２分離用破断線と、を備え、前記閉鎖部は、前記第１及び第２分離用破断線が破断された後、前記本体部を展開して、前記第１面を外面に、前記第２面を内面にするように、前記本体部を筒状に形成した後、当該筒状の形状を保持するための保持手段を有している。
【０００６】
この構成によれば、第１及び第２分離用破断線を破断することで、筒状に形成された本体部を展開できるようにしている。そして、展開した本体部を、第１面が外面となるように筒状に形成し、保持手段により筒状の形状を保持すれば、物品を再度収納可能な形態（以下、収納形態という）にすることができる。このとき、筒状に形成された本体部には、軸方向に延びる開口とこれを閉じる蓋部が形成されるが、ヘッダー部は、蓋部に取り付けられ、開口に差し込まれるフラップとして利用できるため、開口をしっかりと閉じることができる。
【０００７】
また、第１面に物品の説明事項を記載しておけば、収納形態を構成したときに、第１面が外面になるため、説明事項を容易に視認することができる。したがって、説明事項を記載した書面を別途準備し、容器に収容する必要がない。その結果、コストを低減できるとともに、製造工程を簡素化することができる。特に、説明事項を第１面全体に記載できるため、物品の説明を十分に行うことができる。
【０００８】
上記容器においては、前記ヘッダー部の基端から延びる把持部を有し、前記把持部は、前記本体部の一部によって構成され、前記第１分離用破断線は、前記把持部を前記本体部から切り離すように構成することができる。
【０００９】
この構成によれば、本体部が収納形態を構成したとき、ヘッダー部は、開口に刺し込まれるフラップとなるため、把持部は開口から突出した状態となる。そのため、把持部を引っ張れば、容易に蓋を開くことができ、物品の取り出しを容易に行うことができる。
【００１０】
上記各容器は、種々の構成にすることができるが、例えば、以下のように構成することができる。すなわち、前記本体部を、長方形状に形成された、第１，第２，第３，及び第４板材によって角筒状に形成し、前記第１，第２，第３，及び第４板材を、この順で長手方向の辺同士が連結されるように連なるように構成し、前記ヘッダー部を、前記第１板材または前記第４板材の長手方向の辺の少なくとも一方に連結することができる。
【００１１】
上記容器において、前記閉鎖部は、前記第１板材の軸方向の両端に折り曲げ可能に取り付けられた一対の第１フラップと、前記第２板材の軸方向の両端に折り曲げ可能に取り付けられた一対の第２フラップと、前記第３板材の軸方向の両端に折り曲げ可能に取り付けられた一対の第３フラップと、前記第４板材の軸方向の両端に折り曲げ可能に取り付けられた一対の第４フラップと、を備え、前記第１から第４フラップの少なくとも２つのフラップを互いに固定することで、前記本体部の軸方向の両端の開口を塞ぐように構成することができる。
【００１２】
上記各容器においては、前記第１フラップと前記第３フラップとを互いに重ねるように固定することで、前記本体部の軸方向の両端の開口を塞ぐように構成することができる。
【００１３】
上記各容器においては、前記第１板材と一対の第１フラップとを連結する折り目に、前記第２分離用破断線を設けることができる。
【００１４】
上記各容器においては、前記第２フラップと前記第４フラップとを、連結可能に構成し、前記第２フラップ及び前記第４フラップによって、前記保持手段を構成することができる。
【００１５】
上記各容器において、前記ヘッダー部は、前記第１板材の長手方向の辺に連結された第１ヘッダー板材と、前記第４板材の長手方向の辺に連結された第２ヘッダー板材と、を備えることができ、前記第１及び第２ヘッダー板材を重ねるように連結することで、前記本体部を、前記第１面を内面とする角筒状に形成することができる。
【発明の効果】
【００１６】
本発明によれば、物品の説明を記載した書面を別途準備することなく、物品の説明を表示することができる。
【図面の簡単な説明】
【００１７】
【図１】本発明に係る容器の一実施形態を示す斜視図である。
【図２】図１の容器の展開図である。
【図３】組立途中の容器の縦断面図である。
【図４】組立途中の容器の斜視図である。
【図５】図１の容器の使用方法を説明する斜視図である。
【図６】図１の容器の使用方法を説明する斜視図である。
【図７】図１の容器の使用方法を説明する斜視図である。
【図８】図１の容器の使用方法を説明する斜視図である。
【図９】図１の容器の使用方法を説明する斜視図である。
【図１０】図１の容器の使用方法を説明する斜視図である。
【図１１】図１の容器の使用方法を説明する斜視図である。
【発明を実施するための形態】
【００１８】
以下、本発明に係る容器の一実施形態について図面を参照しつつ説明する。図１はこの容器の斜視図、図２は図１の容器の展開図である。
【００１９】
図１に示すように、この容器は、例えば、薬剤用のチューブなどの物品を収容するものであり、直方体状に形成されている。以下では、まず、この容器の展開図について説明した後、その組み立て方法について説明する。その後、組み立てられた容器の使用方法について説明する。
【００２０】
＜１．容器の概要＞
図１に示すように、この容器は、角筒状の本体部１０と、この本体部１０の軸方向の両端部の開口を塞ぐ閉鎖部２０と、本体部の外周面に取り付けられ軸方向に延びるように形成された板状のヘッダー部３００とを備えている。そして、これら本体部１０、閉鎖部２０、及びヘッダー部３００は、紙、樹脂材料などの薄板状の材料で形成されている。以下、これらの部材について詳細に説明する。
【００２１】
＜１−１．板材及びフラップ＞
図２に示すように、本体部１０は、長方形状に形成された第１〜第４板材１〜４によって形成されている。以下では、図２の左右方向を長手方向、上下方向を短手方向と称することとする。また、各板材１〜４において、図２の紙面の手前側の面を第１面、奥側の面を第２面と称することとする。第１面は、容器が組み立てられたときに内側を向き、第２面は外側を向くようになっている。
【００２２】
第１〜第４板材１〜４は、この順で、長手方向の辺同士が連結され、連結部分は折り曲げ可能となっている。また、ヘッダー部３００を構成する第１ヘッダー板３０が、第１板材１における第２板材２とは反対側の長手方向の辺に連結されている。さらに、ヘッダー部３００を構成する第２ヘッダー板４０が、第４板材４における第３板材３とは反対側の長手方向の辺に連結されている。したがって、図２に示す展開図によれば、第１ヘッダー板３０、第１〜第４板材１〜４、及び第２ヘッダー板４０が、この順で連結されている。ここで、第１ヘッダー板３０、第１〜第４板材１〜４、第２ヘッダー板４０における連結部分を、第１ヘッダー板３０側から第２ヘッダー板４０側に並ぶ順に、それぞれ、第１〜５折り曲げ線１１〜１５と称することとする。例えば、第１ヘッダー板３０と第１板材１との連結部分を第１折り曲げ線１１、第４板材４と第２ヘッダー板４０との連結部分を第５折り曲げ線１５と称することとする。
【００２３】
また、第１ヘッダー板３０、第１〜第４板材１〜４、及び第２ヘッダー板４０は、長手方向の長さは同じであるが、短手方向の長さが相違している。すなわち、第１ヘッダー板３０、第２板材２，第４板材４，及び第２ヘッダー板４０の短手方向の長さはほぼ同じであり、第１板材１及び第３板材３の短手方向の長さがほぼ同じである。そして、第１板材１の短手方向の長さは、第２板材２の短手方向の長さよりも長く形成されている。
【００２４】
次に、閉鎖部２０を構成するフラップについて説明する。図２に示すように、第１板材１の長手方向の両側には、矩形状の第１大フラップ（第１フラップ）２１が折り曲げ可能に連結されている。この第１大フラップ２１は、長手方向の長さが、第２板材２の短手方向の長さとほぼ同じであり、短手方向の長さは、第１板材１の短手方向の長さとほぼ同じである。また、第３板材３の長手方向の両側には、矩形状の第２大フラップ（第３フラップ）２２が折り曲げ可能に連結されている。この第２大フラップ２２は，第１大フラップ２１よりもやや小さく形成されている。
【００２５】
第２板材２の長手方向の両側には、三角形状の第１連結フラップ（第２フラップ）２３が折り曲げ可能に連結されている。また、第４板材４の長手方向の両側には、三角形状の第２連結フラップ（第４フラップ）２４が折り曲げ可能に連結されている。いずれの連結フラップも同じ形状であり、先端の頂部には、下方（第２ヘッダー板４０側）に突出する円形状の突出部２３１，２４１が形成されている。ここで、上記各フラップ２１〜２４は、第１，第２，第３及び第４板材１〜４の両端にそれぞれ連結されているが、この連結部分を、第１板材１側から第４板材４側に、それぞれ、第１〜第４横折り曲げ線３１〜３４と称することとする。例えば、第１板材１と第１大フラップ２１との連結部分は第１横折り曲げ線３１、第４板材４と第２連結フラップ２４との連結部分は第４横折り曲げ線３４と称することとする。
【００２６】
また、本体部１０において内側を向く第１〜第４板材１〜４の第１面には、物品の説明が表示されている。例えば、物品が医薬品である場合には、医薬品の添付文書に記載される事項（以下、物品の説明事項と称する）が、表示される。
【００２７】
＜１−２．破断線＞
次に、これら板材やフラップ等に形成された破断線について説明する。破断線はミシン目などで形成され、外力を加えることで破断する線である。まず、第４板材４の長手方向の中央付近には、第５折り曲げ線１５上に両端を有する円弧状の第１破断線（第１分離用破断線）４１が形成されている。この第１破断線４１の短手方向の長さは、第４板材４の短手方向の１／３程度になっている。そして、第５折り曲げ線１５と第１破断線４１とで囲まれる半円状の領域が、押し込み領域（把持部）６０を構成する。また、押し込み領域６０が、第４板材４から切り取られた後には、第４板材４には円弧状の第１凹部７０が形成される（図１０等参照）。
【００２８】
さらに、第５折り曲げ線１５において、第１破断線４１の両側から第４板材４の両側までの部分は、第２破断線（第１分離用破断線）４２を構成している。
【００２９】
また、第１板材１と第１大フラップ２１とを連結する第１横折り曲げ線３１には、第３破断線（第２分離用破断線）４３が形成されている。したがって、第１横折り曲げ線３１は、破断可能となっている。
【００３０】
＜２．容器の組立方法＞
次に、この展開された容器の組立について、図３及び図４を参照しつつ説明する。図３は組立途中の容器の縦断面図、図４は組立途中の容器の斜視図である。まず、図３に示すように、第１折り曲げ線１１を折り曲げ、第１板材１に対して第１ヘッダー板３０を立ち上げるとともに、第２〜第３折り曲げ線１１〜１３を折り曲げ、第１〜第４板材１〜４により角筒状の本体部１０を形成する。次に、第１ヘッダー板３０の第１面と、第２ヘッダー板４０の第１面とを接着剤７５により貼り合わせて一体化する。こうして、第１及び第２ヘッダー板３０，４０が一体化され、ヘッダー部３００が形成される。以上の工程により、物品が収容される内部空間を有する本体部１０と、この本体部１０から立ち上がるヘッダー部３００とが完成する。
【００３１】
次に、閉鎖部２０を組み立てる。このとき、本体部１０の軸方向の両端部のうち、一方の開口を閉じるように閉鎖部２０を組み立てた後、他方の開口から内部空間へ物品を収容する。その後、この他方の開口を閉鎖部２０によって閉じると、容器の組立が完了する。以下、閉鎖部２０の組立について説明する。但し、２つの閉鎖部２０の組立は同じであるため、一方のみ説明する。
【００３２】
まず、図４に示すように、第２及び第４横折り曲げ線３２，３４を折り曲げ、本体部１０の開口を塞ぐように、両連結フラップ２３，２４を配置する。次に、第３横折り曲げ線３３を折り曲げ、両連結フラップ２３，２４を覆うように、第２大フラップ２２を配置する。続いて、第１横折り曲げ線３１を折り曲げ、第２大フラップ２２を覆うように、第１大フラップ２１を配置する。このとき、両大フラップ２１，２２を接着剤により固定する。これにより、本体部１０の開口が４つのフラップ２１〜２４により閉じられ、閉鎖部２０が完成する。同様に、他方の開口においても閉鎖部を組み立てる。以上の工程により、本実施形態に係る容器が完成する。
【００３３】
＜３．容器の使用方法＞
次に、組み立てられた容器の使用方法について、図５〜図１１を参照しつつ説明する。図５〜図１１は容器の使用方法を説明する斜視図である。まず、図５の状態から、ヘッダー部３００を指で掴みつつ、第４板材４の押し込み領域６０を指で押し込む。これにより、第１破断線４１が破断し、指を本体部１０内に挿入可能となる。そして、指を本体部１０内に挿入して第１板材１の第１面（内面）に引っ掛け、第４板材４から離間するように引き上げる。これにより、第２破断線４２、第３破断線４３がこの順で破断し、図６に示すように、第１板材１が開き、内部空間に通じる開口８００が形成される。この状態で、物品の取り出しが可能となる。
【００３４】
この状態から、図７に示すように、本体部１０を展開すると、第１面に記載された物品の説明事項を視認することができる。このように本体部１０が展開されたとき、第１大フラップ２１は、第１板材１から切り取られ、第２大フラップ２２に接着された状態で保持される。
【００３５】
次に、取り出した物品を、再度収納する方法について説明する。まず、図８に示すように、展開した本体部１０を図７の状態から角筒状に折り曲げる。すなわち、本体部１０の第２面が内側に向くように、第２〜第４折り曲げ線１２〜１４を折り曲げ、第１〜第４板材１〜４によって角筒状の本体部１０を形成する。以下、この本体部を、物品を取り出す前の本体部１０と区別するため、収納用本体部５００と称することとする。
【００３６】
続いて、この収納用本体部５００の軸方向の両側の開口をフラップによって閉じる。まず、第３横折り曲げ線３３を折り曲げ、一体化された両大フラップ２１，２２により、開口を閉じる。続いて、図９に示すように、第２及び第４横折り曲げ線３２，３４を折り曲げ、第１連結フラップ２３の突出部２３１と、第２連結フラップ２４の突出部２４１を係合させる。すなわち、第１連結フラップ２３の突出部２３１は、第３板材３側を向き、第２連結フラップ２４の突出部２４１は、第１板材１側を向いているため、両突出部２３１，２４１は互いに反対方向を向いている。したがって、これらを互いに係合させることができる。
【００３７】
これにより、両連結フラップ２３，２４が連結されるため、これらに連結された第２板材２と第４板材４とが平行状態に保持される。その結果、第１〜第４板材１〜４による収納用本体部５００が角筒状の形状に保持される。これにより、第２板材２、第４板材４、及びフラップ２１〜２４により囲まれた開口７００が形成され、この開口７００から物品を収納用本体部５００の内部空間に収納することができる。そして、第１板材１は、この開口７００を閉じる蓋になるため、図１０に示すように、ヘッダー部３００を差込用のフラップとして、第４板材４の内面（第２面）に差し込むと、図１１に示すように、第１板材１によって開口７００が閉じられる。こうして、物品が再度、容器内に収容される。このとき、押し込み領域６０は、第１板材１から突出しているため、この押し込み領域６０を取っ手として引き上げると、第１板材１により閉じられた開口７００を開くことができ、物品を取り出すことができる。また、物品の説明事項は、第１〜第４板材１〜４の第１面に記載されているため、収納用本体部５００の外面に、この記載事項が現れる。
【００３８】
＜４．特徴＞
以上のように、本実施形態によれば、次の特徴を有している。本体部１０を筒状に形成し、第１〜第３破断線４１〜４３を破断することで、展開できるようにしている。そして、展開した本体部１０を、第１面が外面となるように筒状に形成し、第１及び第２連結フラップ２３、２４を連結することで、筒形状を保持することができる。すなわち、物品を再度収納可能な収納用本体部５００を形成することができる。このとき、第１板材１は収納用本体部５００の開口７００を閉じる蓋になり、ヘッダー部３００は蓋に取り付けられる差し込み用のフラップとなる。したがって、開口７００をしっかりと閉じることができる。
【００３９】
そして、第１面に物品の説明事項を記載しておけば、収納用本体部５００を形成したときに、第１面が外面になるため、説明事項を容易に視認することができる。したがって、物品の説明事項を記載した書面を別途準備し、容器に収容する必要がなく、コストを低減できるとともに、製造工程を簡素化することができる。特に、物品の説明事項を第１面全体に記載できるため、物品の説明を十分に行うことができる。
【００４０】
＜５．変形例＞
以上、本発明の一実施形態について説明したが、本発明はこれに限定されるものではなく、その趣旨を逸脱しない限りにおいて種々の変更が可能である。なお、以下の変形例は、適宜組み合わせ可能である。
【００４１】
＜５−１＞
上記実施形態では、連結フラップを三角形状に形成し、その頂部に突出部を設けることで、これらを係合できるようにし、本発明の保持手段を構成している。しかしながら、本発明の保持手段は、これに限定されるものではなく、いずれか２つ以上のフラップを用いて、本体部を筒状に保持できるように固定されればよい。したがって、上記実施形態の連結フラップは一例であり、例えば、一方のフラップを他方のフラップに差し込んだり、引っ掛けるなどの方法で互いに固定できればよい。
【００４２】
＜５−２＞
閉鎖部の構成も特には限定されず、複数のフラップで、本体部の軸方向の両端の開口を塞ぐことができればよい。したがって、フラップの形状や数は特には限定されない。そして、この中のいずれかのフラップで上記保持手段を構成できればよい。
【００４３】
＜５−３＞
上記実施形態では、第１板材１と第１大フラップ２１との連結部分である第１横折り曲げ線３１を破断することで、本体部１０を閉鎖部２０から一部分離し、本体部１０が展開できるようにしているが、これに限定されず、本体部１０が展開できるのであれば、破断線の位置は特には限定されない。
【００４４】
＜５−４＞
上記実施形態では、ヘッダー部３００を、第１及び第２ヘッダー板３０，４０により構成し、これらを貼り合わせているが、これに限定されない。すなわち、ヘッダー部３００は、本体部１０の外周面から突出するように構成されていればよく、２枚の板材を貼り合わせたものでなくてもよい。
【００４５】
＜５−５＞
上記実施形態では、容器を角筒状に形成しているが、円筒状や多角形状に形成することもできる。
【００４６】
上記実施形態では、医薬品を収容する容器について説明したが、医薬部外品、化粧品、化粧用具、ハミガキ、歯ブラシ、歯間清掃具、食品、洗剤等の物品を収容する容器とすることもできる。
【符号の説明】
【００４７】
１０  本体部
２０  閉鎖部
３００  ヘッダー部
１  第１板材
２  第２板材
３  第３板材
４  第４板材
【図１】
2018188204.tif 000003
【図２】
2018188204.tif 000004
【図３】
2018188204.tif 000005
【図４】
2018188204.tif 000006
【図５】
2018188204.tif 000007
【図６】
2018188204.tif 000008
【図７】
2018188204.tif 000009
【図８】
2018188204.tif 000010
【図９】
2018188204.tif 000011
【図１０】
2018188204.tif 000012
【図１１】
2018188204.tif 000013